(57)【要約】【課題】スキャン完了後のＦＡＸジョブ等、実行中のジョブをできるだけ少ない操作で確実に中止できる画像形成装置及びプログラムを提供する。【解決手段】ジョブの開始後、制御部は、利用者からの操作指示によらずに実行待機中のジョブを抽出してタッチパネルにポップアップ１００として自動表示する。また、同時に当該ジョブを中止するためのストップボタンも表示する。利用者は、この画面でストップボタンをタッチし、スキャンが完了してＦＡＸ送信の実行待機中のジョブを中止する。【選択図】図２
2018056647.tif 000002
【特許請求の範囲】
【請求項１】
タッチパネルと、
実行待機状態のジョブを特定する情報及びその実行を中止するためのボタンを、利用者からの操作指示によらずにタッチパネルに自動的にポップアップ表示する制御部と、
を備える画像形成装置。
【請求項２】
ボタンは、ストップボタンである
請求項１に記載の画像形成装置。
【請求項３】
ボタンは、実行待機状態のジョブの詳細画面を表示するための詳細ボタンであり、詳細画面にストップボタンが表示される
請求項１に記載の画像形成装置。
【請求項４】
制御部は、実行待機状態のジョブの実行が完了した場合に、表示されているボタンを非表示とする
請求項１〜３のいずれかに記載の画像形成装置。
【請求項５】
コンピュータに、
ジョブの実行開始を受け付けるステップと、
利用者からの操作指示を受け付けることなく、実行待機状態のジョブを特定する情報及びその実行を中止するためのボタンをタッチパネルに自動的にポップアップ表示するステップと、
利用者からのボタン操作に応答して、実行待機状態のジョブの実行を中止するステップ
を実行させるプログラム。
【発明の詳細な説明】
【技術分野】
【０００１】
本発明は、画像形成装置及びプログラムに関する。
【背景技術】
【０００２】
コピー、プリンタ、ファックス等の機能を備える複合機は、さらに多機能化しており、各種のアプリケーション（アプリ）を含む全体システムを効率的に構築することが要求されている。
【０００３】
特許文献１には、ジョブ中止ボタンを押下すると、現在実行中のジョブ一覧が表示され、一覧を選択するだけで、選択したジョブの実行を中止することが記載されている。
【０００４】
特許文献２には、ジョブの中止を指示するボタンが押下されると、現在実行中／待機中のジョブの中から所定のアルゴリズムにより最も停止するに相応しいジョブを選択して表示することが記載されている。
【０００５】
特許文献３には、ジョブの中止を指示するボタンが押下される度に、現在実行中／待機中のジョブを順次表示することが記載されている。
【先行技術文献】
【特許文献】
【０００６】
【特許文献１】特開平１１−００３００４号公報
【特許文献２】特開２００４−３２０７１７号公報
【特許文献３】特開２００４−３２０７１８号公報
【発明の概要】
【発明が解決しようとする課題】
【０００７】
ところで、ＦＡＸジョブに着目すると、スキャン中にジョブを停止するにはストップボタンを押下して確認画面で中止操作を行う。
【０００８】
また、スキャン完了後にジョブを停止するにはジョブ確認ボタンからジョブ一覧画面を呼び出し、中止するジョブを選択し、詳細画面でストップボタンを押下して確認画面で中止操作を行うのが一般的である。
【０００９】
図６は、ＦＡＸジョブを中止する場合の手順を示す。
【００１０】
図６（ａ）は、ＦＡＸジョブを開始する場合であり、ジョブ開始の実行ボタンを押下する。これにより、ＦＡＸすべき文書がスキャンされ電子化される。
【００１１】
図６（ｂ）は、スキャン完了後、何らかの理由でＦＡＸジョブを中止する場合である。利用者は、画面の所定位置に配置されたジョブ確認ボタンを押下する。
【００１２】
図６（ｃ）は、ジョブ確認ボタンが押下された場合の、ジョブ一覧画面を示す。このジョブ一覧画面の中には、実行中のＦＡＸジョブが存在する。図では一番下に実行中のＦＡＸジョブが表示されている。
【００１３】
図６（ｄ）は、ジョブ一覧画面で実行中のＦＡＸジョブを選択した場合である。実行中のＦＡＸジョブの詳細画面が表示される。図では、実行中のジョブ名とともに開始ユーザ及び開始時間が表示される。
【００１４】
図６（ｅ）は、詳細画面でストップボタンを押下した場合である。「ジョブを中止しますか？」というメッセージとともに確認画面が表示される。利用者は、この確認画面で中止ボタンを押下することでスキャン完了後のＦＡＸジョブを中止する。
【００１５】
このように、従来ではスキャン完了後のＦＡＸジョブを中止するには、
第１ステップ：ジョブ確認ボタンの押下
第２ステップ：ジョブ一覧画面での中止すべきジョブの選択
第３ステップ：詳細画面でのストップボタンの押下
第４ステップ：確認画面でのストップボタンの押下
を経る必要があり、比較的煩雑であって、より効率的な操作が要求されている。
【００１６】
他方、近年においては複合機でも操作画面はタッチパネルが主流となりつつあり、ハードキーとしてのストップボタンやジョブ確認ボタンも削除される傾向にある。このようなハードキーが存在しない状況下において実行中のジョブを効率的に中止できる技術も要求されるようになっている。
【００１７】
本発明の目的は、スキャン完了後のＦＡＸジョブ等、実行中のジョブをできるだけ少ない操作で確実に中止できる画像形成装置及びプログラムを提供することにある。
【課題を解決するための手段】
【００１８】
請求項１に記載の発明は、タッチパネルと、実行待機状態のジョブを特定する情報及びその実行を中止するためのボタンを、利用者からの操作指示によらずにタッチパネルに自動的にポップアップ表示する制御部とを備える画像形成装置である。
【００１９】
請求項２に記載の発明は、ボタンは、ストップボタンである請求項１に記載の画像形成装置である。
【００２０】
請求項３に記載の発明は、ボタンは、実行待機状態のジョブの詳細画面を表示するための詳細ボタンであり、詳細画面にストップボタンが表示される請求項１に記載の画像形成装置である。
【００２１】
請求項４に記載の発明は、制御部は、実行待機状態のジョブの実行が完了した場合に、表示されているボタンを非表示とする請求項１〜３のいずれかに記載の画像形成装置である。
【００２２】
請求項５に記載の発明は、コンピュータに、ジョブの実行開始を受け付けるステップと、利用者からの操作指示を受け付けることなく、実行待機状態のジョブを特定する情報及びその実行を中止するためのボタンをタッチパネルに自動的にポップアップ表示するステップと、利用者からのボタン操作に応答して、実行待機状態のジョブの実行を中止するステップを実行させるプログラムである。
【発明の効果】
【００２３】
請求項１，５に記載の発明によれば、実行中のジョブをできるだけ少ない操作で確実に中止できる。
【００２４】
請求項２に記載の発明によれば、さらに、実行中のジョブを最少の操作で中止できる。
【００２５】
請求項３に記載の発明によれば、さらに、利用者が実行中のジョブの詳細を確認した上で中止できる。
【００２６】
請求項４に記載の発明によれば、さらに、利用者は中止操作可能なジョブを確実に視認できる。
【図面の簡単な説明】
【００２７】
【図１】画像形成装置の機能ブロック図である。
【図２】実施形態のジョブ中止手順説明図である。
【図３】図２の処理フローチャートである。
【図４】他の実施形態のジョブ中止手順説明図である。
【図５】図４の処理フローチャートである。
【図６】従来のジョブ中止手順説明図である。
【発明を実施するための形態】
【００２８】
以下、図面に基づき本発明の実施形態について説明する。
【００２９】
＜システム全体構成＞
図１は、本実施形態における画像形成装置を含む画像形成システムの構成ブロック図である。画像形成システムは、端末装置１０及び画像形成装置１２を備える。端末装置１０と画像形成装置１２は、通信手段１４を介して接続される。通信手段１４は、例えばＬＡＮ（ローカルエリアネットワーク）等のデータ通信ネットワークが用いられる。
【００３０】
端末装置１０は、通信手段１４を介して画像形成装置１２に接続され、利用者の指示に従い、文書の印刷命令を含む印刷ジョブ等を送信する。
【００３１】
画像形成装置１２は、ＲＯＭ１６、ＲＡＭ１８、ＨＤＤ２０、１つ又は複数のＣＰＵで構成される制御部２２、入出力インターフェイスＩ／Ｆ２４、タッチパネル等の操作部２６、画像形成部２８を備える。
【００３２】
１又は複数のＣＰＵで構成される制御部２２は、ＲＯＭ１６に記憶された処理プログラムに従い、入出力インターフェイスＩ／Ｆ２４を介して端末装置１０から印刷ジョブ命令等を受け付け、ＰＤＬデータを解釈して中間データを生成し、生成した中間データからさらに描画データ（ラスターデータ）を生成する。また、制御部２２は、操作部２６から受け付けたコピー（Copy）、スキャン（Scan）、ファックス（Fax）等の各種命令を実行する。さらに、制御部２２は、利用者から受け付けたジョブの進行状況を監視し、適宜、操作部２６に表示する。ジョブの実行状況には、ジョブの開始、ジョブの実行中、ジョブの終了が含まれる。制御部２２は、特に、実行中のジョブについて後述するように操作部２６に自動表示する。
【００３３】
画像形成部２８は、プリントモジュール、スキャナモジュール、ファックスモジュール、用紙給紙モジュール、原稿給紙モジュール、及び画像処理アクセラレータを備える。
【００３４】
プリントモジュールは、画像を用紙に出力する機能を有するモジュールである。例えば、公知のインクジェット方式の構成を備え、描画データを用紙に印刷する。ノズル等から液体あるいは溶融固体インクを吐出し、紙、フィルム等に記録を行う。インクを吐出する方法には、静電誘引力を利用してインクを吐出させるドロップオンデマンド方式（圧力パルス方式）、高熱により気泡を形成・成長させることで生じる圧力を利用してインクを吐出させる熱インクジェット方式等がある。記録ヘッドは、例えば、シアンインクを吐出するヘッド、マゼンタインクを吐出するヘッド、イエローインクを吐出するヘッド、ブラックインクを吐出するヘッドを備え、各ヘッドが用紙の幅と少なくとも同等の幅を有するラインヘッドが用いられる。記録ヘッドにより各色のインク滴を中間転写体に吐出して記録し、その後に用紙に転写して印刷する。
【００３５】
スキャナモジュールは、用紙から画像を読み取って電子データに変換するモジュールである。
【００３６】
ファックス（Fax）モジュールは、電話回線に接続されたモデムやファックス用画像処理モジュールを備え、ファックス機能を実行するモジュールである。
【００３７】
用紙給紙モジュールは、用紙トレイからプリントモジュールに用紙を搬送するモジュールである。
【００３８】
原稿給紙モジュールは、原稿トレイからスキャナモジュールに用紙を搬送するモジュールである。
【００３９】
画像処理アクセラレータは、スキャナモジュール等と連動して圧縮／伸長処理を行うモジュールである。この画像処理アクセラレータは必須ではなく、付加的モジュールとしてもよい。
【００４０】
なお、画像形成装置１２は、これら以外にも、用紙のパンチやソート等を行うフィニッシャ、ＵＳＢ、ＩＣカードリーダ等から構成され利用者の認証を行う認証部、課金部、人感センサや顔カメラ等を備えていてもよい。
【００４１】
また、画像形成装置１２は、通信手段１４を介してインターネットに接続されていてもよく、イーサネット（登録商標）やＷｉ−Ｆｉ（登録商標）を備えていてもよい。
【００４２】
制御部２２は、処理プログラムに従い、操作部２６に各種アプリケーションのアイコン（ボタン）を表示して利用者からの操作指示を受け付けて処理する。例えば、操作部２６にＦＡＸボタンを表示し、利用者が当該ＦＡＸボタンをタッチ（押下）して選択すると、所定のＦＡＸジョブ、具体的にはＦＡＸ送信時に原稿トレイにセットされた原稿をファックスモジュールに搬送し、原稿をスキャンしてイメージデータに変換し、必要な画像処理を施し、モデムを用いて指定された送信先に送信する各処理を実行する。また、ＦＡＸ受信時にＦＡＸデータを受信し、プリントモジュールで用紙に印刷して出力する各処理を実行する。ＦＡＸ送信時の送信ジョブ、及びＦＡＸ受信時の印刷ジョブは、待機状態（いわゆるキューイング）にすることが可能であり、制御部２２は、ある原稿の送信ジョブを待機させつつ別の原稿のスキャンによるイメージデータ変換を行うことができ、あるいは受信したあるＦＡＸデータの印刷ジョブを待機させつつ別のＦＡＸデータの受信を行うことができる。
【００４３】
他方、利用者は、何らかの理由で、一旦実行を開始したジョブを途中で中止したいと欲する場合もある。例えば、ＦＡＸジョブにおいて、ＦＡＸ送信時に原稿をスキャンしてイメージデータに変換したものの、当該原稿のＦＡＸ送信を中止したいと欲する場合等である。スキャナやプリンタ等が単独で、あるいは強調して動作している場合、その動作を中止することがジョブを中止することに相当するので、ハードウェアの中止キーが一つあれば足りる。しかし、スキャナやプリンタ等のハードウェアリソースを使用するジョブであっても、別々のジョブが平行して動作する場合には、中止キーが一つだとどのジョブを中止するのか明確に特定できない。
【００４４】
そこで、本実施形態では、ジョブの進行状況を監視している制御部２２は、操作部２６に所望の情報を自動的に表示して利用者の操作性を向上させる。
【００４５】
＜実行中のＦＡＸジョブの中止処理＞
以下、本実施形態での実行中のジョブ中止の手順を、ＦＡＸジョブを例にとり説明する。
【００４６】
図２は、本実施形態における実行中のＦＡＸジョブ（ＦＡＸ送信ジョブ）の中止手順を示す。タッチパネルとしての操作部２６に表示される画面遷移図である。なお、前提として、用紙トレイにＦＡＸ送信すべき原稿がセットされ、利用者が操作部２６に表示された画面（ホーム画面）からＦＡＸボタンをタッチしてＦＡＸジョブを選択したものとする。
【００４７】
図２（ａ）は、ＦＡＸジョブを開始する場合であり、制御部２２は、操作部２６に「ジョブを開始します。」のメッセージとともに、「実行」、「中止」の各ボタンを表示する。利用者は、「実行」ボタンをタッチすることで、ＦＡＸジョブの開始を指示する。制御部２２は、この操作指示に応答してＦＡＸモジュールを駆動し、ＦＡＸモジュールは、用紙トレイにセットされた原稿をスキャンしてイメージデータに変換し、メモリに格納する。
【００４８】
図２（ｂ）は、ジョブ実行中の操作部２６の画面を示す。制御部２２は、コピー（Copy）、スキャン（Scan）、ファックス（Fax）の各アプリケーションのボタンとともにジョブ一覧のボタンを表示し、さらに、画面下部に、実行待機状態のジョブをポップアップ１００として表示する。具体的には、スキャンが完了して送信待機状態にあるジョブを抽出し、そのジョブ番号及びジョブ名並びに「ストップ」ボタンとともに表示する。図において、
「１３  ＦＡＸ  ＸＸ−ＸＸＸＸ−ＸＸＸＸ」
とあるが、「１３」はジョブ番号を示し、「ＦＡＸ  ＸＸ−ＸＸＸＸ−ＸＸＸＸ」はジョブ名を示す。ＦＡＸ送信ジョブの場合、ジョブ名は送信先の名前あるいは電話番号でよい。
【００４９】
制御部２２は、待機状態の送信ジョブが複数存在する場合には、これらを抽出し、並列してポップアップ表示する。例えば、待機状態の送信ジョブが３つ存在する場合、
「１３  ＦＡＸ  ＸＸ−ＸＸＸＸ−ＸＸＸＸ」
「１４  ＦＡＸ  ○○○−○○○○−○○○」
「１５  ＦＡＸ  △△△−△△△△−△△△△」
等と表示する。
【００５０】
また、制御部２２は、既に処理が終了したジョブがあっても、これをポップアップ表示しない。例えば、ジョブ順次１２のＦＡＸジョブが存在し、既に送信が正常に終了している場合には、当該ジョブをポップアップ表示しない。
【００５１】
図２（ｂ）の画面は、利用者からの操作指示によらず、すなわち利用者の操作指示無しに制御部２２が自動的に表示する。利用者からの操作指示は、例えばジョブ一覧ボタンの操作によるジョブ一覧表示指示であるがこれに限定されない。要するに、制御部２２は、ジョブの実行を開始した後、バッチ処理における次の処理の実行待機状態にあるジョブが存在すればこれを自動的に抽出してポップアップ表示する。
【００５２】
なお、図２（ｂ）において、利用者が「ジョブ一覧」をタッチした場合には、制御部２２は、受け付けたジョブの一覧を操作部２６に表示する。ジョブ一覧には、実行中のジョブの他、正常に終了したジョブも含まれる（図６（ｃ）参照）。
【００５３】
図２（ｃ）は、利用者が図２（ｂ）の画面でポップアップ１００の「ストップ」ボタンをタッチした場合の画面である。制御部２２は、この操作指示に応じて「ジョブを中止しますか？」のメッセージとともに「継続」、「中止」のボタンを表示する。この画面は、図６（ｅ）の確認画面に相当するものである。利用者は、この確認画面で「中止」ボタンをタッチすると、制御部２２は、この操作指示に応じて待機状態のＦＡＸ送信ジョブを中止する。中止されたＦＡＸ送信ジョブは、メモリ内にそのまま残してもよく、あるいはメモリから削除してもよい。例えば、待機状態の送信ジョブが上記のように３つ存在し、利用者が「１３  ＦＡＸ  ＸＸ−ＸＸＸＸ−ＸＸＸＸ」のジョブを中止した場合、制御部２２は、当該ジョブを削除し、ジョブ番号１４及び１５のジョブを実行する。
【００５４】
図２の画面遷移において、利用者は、ジョブの開始後、わずか２回のタッチ操作のみで実行中のＦＡＸジョブを中止できる。
【００５５】
図３は、本実施形態の処理フローチャートを示す。
【００５６】
ジョブを実行すると、操作部２６には実行中のＦＡＸジョブ、すなわち待機状態にあるＦＡＸ送信ジョブがポップアップ１００として表示され、これとともに当該ジョブの「ストップ」ボタンが表示されるから、利用者は実行中のＦＡＸジョブを中止する場合には、ポップアップ１００として表示されたＦＡＸ送信ジョブを視認するとともに、「ストップ」ボタンをタッチ（押下）する（Ｓ１０１）。
【００５７】
すると、操作部２６に確認画面が表示されるから、利用者は、「中止」ボタンをタッチ（押下）して最終的に実行中のＦＡＸ送信ジョブの中止を確定させる（Ｓ１０２）。
【００５８】
図６に示す従来の手順では、既述のように
第１ステップ：ジョブ確認ボタンの押下
第２ステップ：ジョブ一覧画面での中止すべきジョブの選択
第３ステップ：詳細画面でのストップボタンの押下
第４ステップ：確認画面でのストップボタンの押下
の４つのステップが必要であるところ、実施形態では
第１ステップ：ポップアップ表示された「ストップ」ボタンのタッチ
第２ステップ：確認画面での「ストップ」ボタンのタッチ
のわずか２ステップに削減できる。
【００５９】
図２に示す画面遷移と図６に示す画面遷移を比較すると、本実施形態では、図２（ｂ）の画面が図６（ｂ）〜図６（ｄ）の画面の機能を担っているといえ、要するに、制御部２２は、実行中のジョブが存在する場合に、利用者からの操作指示によらずに実行中のジョブを特定する情報を自動的に画面にポップアップ表示するとともに、当該ジョブを中止するためのボタンもポップアップ表示するものといえる。
【００６０】
本実施形態では、利用者は操作部２６に表示されたボタンをタッチするだけで実行中のジョブを中止でき、従ってタッチパネルとは別のハードキーとしてのストップボタンやジョブ一覧ボタンが不要化される。
【００６１】
図４は、他の実施形態における実行中のＦＡＸジョブの中止手順を示す。タッチパネルとしての操作部２６に表示される画面遷移図である。
【００６２】
図４（ａ）は、ＦＡＸジョブを開始する場合であり、制御部２２は、操作部２６に「ジョブを開始します。」のメッセージとともに、「実行」、「中止」ボタンを表示する。利用者は、「実行」ボタンをタッチすることで、ＦＡＸジョブを開始する。制御部２２は、この操作指示に応じてＦＡＸモジュールを駆動し、ＦＡＸモジュールは、ＦＡＸすべき原稿をスキャンしてイメージデータに変換し、メモリに格納する。
【００６３】
図４（ｂ）は、ジョブ実行中の操作部２６の画面を示す。制御部２２は、コピー（Copy）、スキャン（Scan）、ファックス（Fax）の各アプリケーションのボタンとともにジョブ一覧のボタンを表示し、さらに、画面下部に、待機状態のＦＡＸ送信ジョブをポップアップ１００として表示する。具体的には、スキャンが完了して送信待機状態にあるジョブを、そのジョブ番号及びジョブ名並びに「詳細」ボタンとともに表示する。
【００６４】
図４（ｃ）は、利用者が図３（ｂ）の画面で「詳細」ボタンをタッチして選択した場合の画面である。制御部２２は、この操作指示に応答して、待機状態のジョブの詳細を表示する。図では、ジョブ番号、ジョブ名、開始ユーザ、開始時間が表示されるとともに、「ストップ」、「閉じる」ボタンが表示される。
【００６５】
図４（ｄ）は、利用者が図４（ｃ）の画面で「ストップ」ボタンをタッチした場合の画面である。制御部２２は、この操作指示に応答して「ジョブを中止しますか？」のメッセージとともに「継続」、「中止」のボタンを表示する。この画面は、図６（ｅ）の確認画面に相当するものである。利用者は、この確認画面で「中止」ボタンをタッチすると、制御部２２は、この操作指示に応答して待機状態のＦＡＸ送信ジョブを中止する。
【００６６】
図５は、他の実施形態の処理フローチャートを示す。
【００６７】
ジョブを実行すると、操作部２６には実行中のＦＡＸジョブがポップアップ１００として表示され、これとともに当該ジョブの「詳細」ボタンが表示されるから、利用者は実行中のＦＡＸジョブを中止する場合には、ポップアップ１００として表示されたＦＡＸジョブを視認するとともに、「詳細」ボタンをタッチ（押下）する（Ｓ２０１）。
【００６８】
すると、操作部２６に詳細画面が表示されるから、利用者は当該ジョブの詳細を確認して「ストップ」ボタンをタッチ（押下）して中止を選択する（Ｓ２０２）。
【００６９】
次に、操作部２６に確認画面が表示されるから、利用者は中止ボタンをタッチ（押下）して最終的に実行中のＦＡＸジョブの中止を確定させる（Ｓ２０３）。
【００７０】
この実施形態では、実行開始後、わずか３つのステップで実行中のＦＡＸジョブを中止することができる。
【００７１】
図４に示す画面遷移と図６に示す画面遷移を比較すると、図４（ｂ）の画面が図６（ｂ）〜図６（ｃ）の画面の機能を担っているといえ、要するに、制御部２２は、実行中のジョブが存在する場合に、利用者からの操作指示によらずに実行中のジョブを特定する情報を自動的に画面にポップアップ表示するとともに、当該ジョブを中止するためのボタンもポップアップ表示するといえる。ここで、図４（ｂ）における「詳細」ボタンは、このボタンをタッチすることで詳細とともに「ストップ」ボタンを選択可能になるという意味で、ジョブを中止するためのボタンとして機能する。
【００７２】
以上は、ＦＡＸ送信時の中止処理であるが、ＦＡＸ受信時の中止処理についても同様である。制御部２２は、印刷ジョブの待機状態にある受信ＦＡＸデータが存在すればそれを自動的にポップアップ表示し、利用者がポップアップ表示された「ストップ」ボタンをタッチした場合に、確認画面を表示した上で最終的に印刷ジョブを中止する。
【００７３】
本発明の実施形態について説明したが、本発明はこれに限定されるものではなく、種々の変形が可能である。以下、変形例について説明する。
【００７４】
＜変形例１＞
実施形態では、図２（ｂ）に示すように、制御部２２は、操作部２６に実行中のＦＡＸジョブを特定する情報としてジョブ名をポップアップ１００として表示するとともに「ストップ」ボタンを表示しているが、このポップアップ１００は実行を中止し得るジョブを表示するものであるから、そもそも中止し得ないジョブについては表示しないことは言うまでもないが、ポップアップ１００として表示したタイミングでは実行を中止し得たとしても、その後のジョブのバッチ処理進行によりもはや処理を中止できなくなった場合には、表示されている「ストップ」ボタンを表示から非表示に変化させる、あるいはポップアップ１００自体を非表示に変化させてもよい。
【００７５】
例えば、ＦＡＸジョブの場合、スキャン処理が完了した後に送信処理が実行されるが、スキャン処理が完了してから送信処理の実行が開始されるまでは実行を中止し得るので図２（ｂ）に示すようにポップアップ１００を表示し、利用者が「ストップ」ボタンをタッチ（押下）せずに時間が経過し、スキャンして得られたデータの事実上送信処理が完了とみなせる後（画像転送後の通信断処理等）は、制御部２２は「ストップ」ボタンを表示から非表示とし、あるいはポップアップ１００自体を非表示とする。勿論、中心の権限が失われた場合にも、中心を指示しても意味がないので、非表示としてもよい。
【００７６】
図４（ｂ）の場合も同様であり、ポップアップ１００として表示したタイミングでは実行を中止し得たとしても、その後のジョブのバッチ処理によりもはや処理を中止できなくなった場合には、表示されている「詳細」ボタンを表示から非表示に変化させる、あるいはポップアップ１００自体を非表示に変化させてもよい。あるいは、図４（ｂ）の詳細ボタンは表示しつつ、図４（ｃ）の詳細画面において「ストップ」ボタンを非表示とすることも可能である。
【００７７】
なお、「非表示」とは、利用者が操作部２６において当該ボタンをタッチして選択できないことを意味するものであり、従ってボタン自体は形式的に表示されていてもタッチして選択できないような態様（いわゆるグレイ表示）も「非表示」に含まれるものとする。
【００７８】
＜変形例２＞
実施形態では、図２（ｃ）あるいは図４（ｄ）に示すように、制御部２２は操作部２６に確認画面を表示し、利用者は確認画面において「中止」をタッチ（押下）することで最終的にジョブの中止を確定させているが、これらの確認画面を省略してもよい。この場合、図２では１ステップ、図４では２ステップのみで実行中のＦＡＸジョブを中止し得る。
【００７９】
＜変形例３＞
実施形態では、ＦＡＸジョブを例示して実行中のジョブの中止手順について説明したが、これ意外にもメール送信ジョブやファイル送信ジョブ等にも同様に適用することができる。一般に、バッチ処理される任意のジョブにおいて、ある処理フェーズが完了し、次の処理フェーズに移行するまでの間において当該ジョブを自動的に操作部２６にポップアップ表示して中止を操作指示できるように構成し得る。
【００８０】
＜変形例４＞
実施形態では、図２（ｂ）に示すように、画面下部に実行中のジョブをポップアップ表示しているが、ポップアップ表示すべき位置は画面下部に限らず任意でよい。例えば、スペース的に可能であれば、ＦＡＸボタンの近傍にポップアップ表示してもよい。また、ポップアップ表示すべき「ストップ」ボタンも、実行中のジョブを特定する情報に隣接して表示する必要はなく、画面の任意の位置に表示できる。但し、複数の実行中のジョブを表示する場合に、それぞれのジョブと関連付けて「ストップ」ボタンを表示すべきであるのは言うまでもない。
【００８１】
＜変形例５＞
実施形態では、図２（ｂ）に示すように実行中のジョブとともに「ストップ」ボタンを表示しているが、「ストップ」ボタンを点滅表示あるいはハイライト表示してもよい。また、ＦＡＸジョブであれば、ＦＡＸ送信ジョブが開始されるまでの予想時間をカウントし、この予想時間を追加表示する、あるいは予想時間に応じて「ストップ」ボタンの表示形態を動的に変化させてもよい。
【符号の説明】
【００８２】
１０  端末装置、１２  画像形成装置、１６  ＲＯＭ、１８  ＲＡＭ、２０  ＨＤＤ、２４  入出力インターフェイスＩ／Ｆ、２６  操作部、２８  画像形成部、１００  ポップアップ。
【図１】
2018056647.tif 000003
【図２】
2018056647.tif 000004
【図３】
2018056647.tif 000005
【図４】
2018056647.tif 000006
【図５】
2018056647.tif 000007
【図６】
2018056647.tif 000008